(57)【要約】【課題】特殊な編集アプリケーションを用いることなく、簡便な手法により、所定の機能に対応した描画オブジェクトを配置する作業を行えるため、描画オブジェクトを配置する作業に対しユーザの手間が少なくてすむ画像処理装置等を提供する。【解決手段】媒体に印刷すべき電子文書から所定の描画オブジェクトを抽出する描画オブジェクト解析手段と、描画オブジェクトと描画オブジェクトに対応する機能とを関連付けるための管理情報を取得する取得手段と、描画オブジェクト解析手段により抽出された描画オブジェクトが有する所定の情報と取得手段により取得された管理情報とを比較する描画オブジェクト比較手段と、を備えたことを特徴とする画像処理装置１００。【選択図】図２
2009223686.tif 000002
【特許請求の範囲】
【請求項１】
媒体に印刷すべき電子文書から所定の描画オブジェクトを抽出する描画オブジェクト解析手段と、
描画オブジェクトと当該描画オブジェクトに対応する機能とを関連付けるための管理情報を取得する取得手段と、
前記描画オブジェクト解析手段により抽出された描画オブジェクトが有する所定の情報と前記取得手段により取得された管理情報とを比較する描画オブジェクト比較手段と、
を備えたことを特徴とする画像処理装置。
【請求項２】
前記描画オブジェクトに対応する機能は、所定のサービスを提供するためのリンク機能であることを特徴とする請求項１に記載の画像処理装置。
【請求項３】
前記取得手段は、前記描画オブジェクトに対応する機能への参照情報、前記媒体内の前記描画オブジェクトの位置情報、前記媒体の識別情報から選ばれる少なくとも１つの情報を管理情報として取得することを特徴とする請求項１に記載の画像処理装置。
【請求項４】
前記描画オブジェクト解析手段は、文字描画オブジェクト、イメージ描画オブジェクト、グラフィックス描画オブジェクトから選ばれる少なくとも１つの描画オブジェクトを抽出することを特徴とする請求項１に記載の画像処理装置。
【請求項５】
前記描画オブジェクト比較手段は、所定の特徴量が一致するか否かにより、前記描画オブジェクト解析手段により抽出された描画オブジェクトが有する所定の情報と前記取得手段により取得された管理情報とを比較することを特徴とする請求項１に記載の画像処理装置。
【請求項６】
前記電子文書を取得する文書取得手段と、
前記電子文書の画像と前記管理情報の画像との重畳画像の印刷を印刷機構に指示する指示手段とを更に有することを特徴とする請求項１に記載の画像処理装置。
【請求項７】
前記管理情報を編集するための編集手段を更に備えることを特徴とする請求項１に記載の画像処理装置。
【請求項８】
媒体に印刷すべき電子文書から所定の描画オブジェクトを抽出する描画オブジェクト解析手段と、
描画オブジェクトと当該描画オブジェクトに対応する機能とを関連付けるための管理情報を登録する登録手段と、
前記描画オブジェクト解析手段により抽出された描画オブジェクトが有する所定の情報と前記登録手段に登録されている管理情報とを比較する描画オブジェクト比較手段と、
を備えたことを特徴とする画像処理システム。
【請求項９】
前記登録手段は、前記描画オブジェクトに対応する機能への参照情報、前記媒体内の前記描画オブジェクトの位置情報、前記媒体の識別情報から選ばれる少なくとも１つの情報を管理情報として登録することを特徴とする請求項８に記載の画像処理システム。
【請求項１０】
コンピュータに、
媒体に印刷すべき電子文書から所定の描画オブジェクトを抽出する機能と、
描画オブジェクトと当該描画オブジェクトに対応する機能とを関連付けるための管理情報を取得する機能と、
前記描画オブジェクトが有する所定の情報と前記管理情報とを比較する機能と、
を実現させるためのプログラム。
【発明の詳細な説明】
【技術分野】
【０００１】
本発明は、画像処理装置、画像処理システム及びプログラムに関する。
【背景技術】
【０００２】
近年、細かなドットが印刷された特殊な用紙に文字や絵を描き、ユーザがこの用紙上に書いた文字等のデータをパソコンや携帯電話等に転送し、この内容の保存や、メール送信を可能とする技術が注目されている。
【０００３】
公報記載の従来技術として、例えば、特許文献１には、電子的に記憶された文書を、位置コーディングパターンを備えた紙シート上に印刷する技術が開示されている。この技術においては、位置コーディングパターンを備えた特殊な紙シートが用いられる。そして、この紙シートに文書を印刷し、その上から、位置コーディングパターン読取り用手段を備えたデジタルペンと紙の表面にマーキングを付けるペンポイントとを用いて手動で編集し、その編集結果が電子情報に反映されるように構成されている。
また、特許文献２には、電子文書を作成するための文書作成アプリケーションが、電子文書のページごとにコード画像を付与する領域を指定できるようにした印刷指示装置が開示されている。
【０００４】
【特許文献１】特表２００３−５２８３８８号公報
【特許文献２】特開２００７−７２６４０号公報
【発明の開示】
【発明が解決しようとする課題】
【０００５】
ここで、ユーザが指示した位置に所定の機能を配置する作業は、できるだけ簡便に行えることが求められる。
本発明は、特殊な編集アプリケーションプログラムを用いることなく、簡便な手法により、所定の描画オブジェクトに対応する機能を配置することで、この機能を配置する作業に対しユーザの負担を軽減することができる画像処理装置等を提供することを目的とする。
【課題を解決するための手段】
【０００６】
請求項１に記載の発明は、媒体に印刷すべき電子文書から所定の描画オブジェクトを抽出する描画オブジェクト解析手段と、描画オブジェクトと当該描画オブジェクトに対応する機能とを関連付けるための管理情報を取得する取得手段と、前記描画オブジェクト解析手段により抽出された描画オブジェクトが有する所定の情報と前記取得手段により取得された管理情報とを比較する描画オブジェクト比較手段と、を備えたことを特徴とする画像処理装置である。
【０００７】
請求項２に記載の発明は、前記描画オブジェクトに対応する機能は、所定のサービスを提供するためのリンク機能であることを特徴とする請求項１に記載の画像処理装置である。
請求項３に記載の発明は、前記取得手段は、前記描画オブジェクトに対応する機能への参照情報、前記媒体内の前記描画オブジェクトの位置情報、前記媒体の識別情報から選ばれる少なくとも１つの情報を管理情報として取得することを特徴とする請求項１に記載の画像処理装置である。
請求項４に記載の発明は、前記描画オブジェクト解析手段は、文字描画オブジェクト、イメージ描画オブジェクト、グラフィックス描画オブジェクトから選ばれる少なくとも１つの描画オブジェクトを抽出することを特徴とする請求項１に記載の画像処理装置である。
請求項５に記載の発明は、前記描画オブジェクト比較手段は、所定の特徴量が一致するか否かにより、前記描画オブジェクト解析手段により抽出された描画オブジェクトが有する所定の情報と前記取得手段により取得された管理情報とを比較することを特徴とする請求項１に記載の画像処理装置である。
請求項６に記載の発明は、前記電子文書を取得する文書取得手段と、
前記電子文書の画像と前記管理情報の画像との重畳画像の印刷を印刷機構に指示する指示手段とを更に有することを特徴とする請求項１に記載の画像処理装置である。
請求項７に記載の発明は、前記管理情報を編集するための編集手段を更に備えることを特徴とする請求項１に記載の画像処理装置である。
【０００８】
請求項８に記載の発明は、媒体に印刷すべき電子文書から所定の描画オブジェクトを抽出する描画オブジェクト解析手段と、描画オブジェクトと当該描画オブジェクトに対応する機能とを関連付けるための管理情報を登録する登録手段と、前記描画オブジェクト解析手段により抽出された描画オブジェクトが有する所定の情報と前記登録手段に登録されている管理情報とを比較する描画オブジェクト比較手段と、を備えたことを特徴とする画像処理システムである。
【０００９】
請求項９に記載の発明は、前記登録手段は、前記描画オブジェクトに対応する機能への参照情報、前記媒体内の前記描画オブジェクトの位置情報、前記媒体の識別情報から選ばれる少なくとも１つの情報を管理情報として登録することを特徴とする請求項８に記載の画像処理システムである。
【００１０】
請求項１０に記載の発明は、コンピュータに、媒体に印刷すべき電子文書から所定の描画オブジェクトを抽出する機能と、描画オブジェクトと当該描画オブジェクトに対応する機能とを関連付けるための管理情報を取得する機能と、前記描画オブジェクトが有する所定の情報と前記管理情報とを比較する機能と、を実現させるためのプログラムである。
【発明の効果】
【００１１】
請求項１の発明によれば、特殊な編集アプリケーションプログラムを用いることなく、簡便な手法により、所定の描画オブジェクトに対応する機能を配置することができ、この機能を配置する作業に対しユーザの負担を軽減できる。
請求項２の発明によれば、機能としてリンク機能を用いることで、所定のサービスをより簡便に提供することが可能になる。
請求項３の発明によれば、本構成を採用しない場合に比べ、より簡便に描画オブジェクトに対応する機能を関連付けることができる。
請求項４の発明によれば、本構成を採用しない場合に比べ、所定の機能を実現する描画オブジェクトをより的確に抽出することができる。
請求項５の発明によれば、本構成を採用しない場合に比べ、描画オブジェクトが有する所定の情報と管理情報とを、より的確に比較することができる。
請求項６の発明によれば、媒体に電子文書を印刷する際に、簡便な手法により描画オブジェクトを配置する作業を行うことが可能となる。
請求項７の発明によれば、ユーザが、描画オブジェクトと描画オブジェクトに対応する機能を選択することができる。
請求項８の発明によれば、登録手段を設けることにより、管理情報を一括して管理できるようになる。
請求項９の発明によれば、本構成を採用しない場合に比べ、所定の機能を実現する描画オブジェクトをより的確に抽出することができる。
請求項１０の発明によれば、簡便な手法により、所定の描画オブジェクトに対応する機能を配置することができ、この機能を配置する作業に対しユーザの負担を軽減できる。
【発明を実施するための最良の形態】
【００１２】
以下、添付図面を参照して、本発明の実施の形態について説明する。
図１は、本実施の形態が適用されるシステムの構成の一例を示したものである。このシステムは、少なくとも、電子文書の印刷を指示する画像処理装置１００と、電子文書の画像と符号パターン画像との重畳画像を印刷する画像形成装置４００とがネットワーク９００に接続されることにより構成されている。また、このシステムは、画像形成装置４００にて出力される印刷物５００と、印刷物５００に文字又は図形を記録し、その文字又は図形の軌跡を読み取るペンデバイス６００とを含む。更に、ネットワーク９００には、ペンデバイス６００により選択された所定のサービスを提供する端末装置７００も接続されている。
【００１３】
以下、本システムの動作の概略を説明する。
まず、画像処理装置１００は、所定のアプリケーションプログラムにより作成した電子文書の印刷を指示する（Ａ）。このとき、画像処理装置１００は、印刷に関するパラメータである印刷属性を指定する。この印刷属性には、通常の印刷と同様、用紙サイズ、向き、両面印刷等が含まれる。また、符号パターン画像に関し、符号パターン画像を印刷すべき領域の指定等が含まれてもよい。
この電子文書の印刷指示を受けると、画像形成装置４００は、電子文書の画像に符号パターン画像を重畳した画像を紙等の媒体に印刷し、印刷物５００をプリント出力する（Ｂ）。この場合、符号パターン画像は、所定の機能に関連した管理情報を画像化したものである。或いは、その他の情報である付加情報を含めて画像化したものであってもよい。ここで、付加情報としては、印刷指示を行ったユーザの識別情報や、コピー禁止であるかどうかの情報等がある。
【００１４】
また、画像形成装置４００は、符号パターン画像を、赤外光の吸収率が一定の基準以上である不可視のトナーを用いて不可視画像として形成する。一方、電子文書の文書画像は、赤外光の吸収率が一定の基準以下である可視のトナーを用いて可視画像として形成することが好ましい。尚、符号パターン画像の形成に用いるトナーと文書画像の形成に用いるトナーとで、赤外光の吸収率に差を設けたのは、赤外光を照射して符号パターン画像を読み取る際の読取り精度を確保するためである。尚、本明細書では、赤外光照射による符号パターン画像の読取りを前提として説明するが、紫外光により符号パターン画像を読み取るものであってもよい。
【００１５】
その後、ユーザが、ペンデバイス６００を用いて印刷物５００に文字又は図形をマーキングしたとする（Ｃ）。これにより、ペンデバイス６００は、印刷物５００に対し赤外光を照射し、その反射光を検出することで符号パターン画像を入力する。そして、符号パターン画像から情報を取得し、有線通信又は無線通信を介して、その情報を端末装置７００に送信する（Ｄ）。尚、ここで送信される情報は、例えば、所定の機能に関連した管理情報である。
その後、端末装置７００は、ペンデバイス６００から受信した管理情報に基づいて、所定の機能を実行する。ここで所定の機能としては、所定のサービスを提供するためのリンク機能であり、更に具体的には、管理情報に基づいて、インターネット上の特定のウェブサイトを表示したり、特定の電話番号に電話をかけるなどが例示される。
【００１６】
以上、本実施の形態が適用されるシステムについて述べてきたが、このような構成はあくまで一例に過ぎない。例えば、電子文書の画像と符号パターン画像とを重畳する処理や符号パターン画像を作成する処理は、画像処理装置１００で行ってもよいし、画像形成装置４００で行ってもよい。また、画像処理装置１００から画像形成装置４００への印刷指示を中継するサーバコンピュータ等で行うようにしてもよい。
尚、本明細書では、「電子文書」の文言を用いるが、これは、テキストを含む「文書」を電子化したデータのみを意味するものではない。例えば、絵、写真、図形等の画像データ（ラスタデータかベクターデータかによらない）、その他の印刷可能な電子データも含めて「電子文書」としている。
【００１７】
上述のシステムにおいて、印刷物５００の特定の箇所にペンデバイス６００でマーキングすることで所定のサービスを提供するには、印刷物５００上の特定の領域（以下「サービス領域」とする）について、ユーザが所定の編集画面等で指定する必要がある。
しかしながら、従来のシステムでは、印刷物５００をサービス領域を編集して印刷した後に、再度同じ印刷物５００を印刷する場合に、第１回目の印刷時と同じサービス領域としたい場合でも、再度サービス領域の編集を行う必要がある。また、印刷物５００を改版して印刷する場合であって、改版前と同じ部分がある場合でも、その部分についてやはり再度サービス領域の編集を行う必要があり、手間がかかるという問題がある。
【００１８】
そこで、本実施の形態では、印刷物５００の文書データ中に以前提供したサービスと関連付けられた描画オブジェクトと同じ特徴量をもつ描画オブジェクトが含まれる場合、以前と同じサービス領域を生成するようにしている。
【００１９】
上述の機能を実現するために、本実施の形態では、画像処理装置１００が、電子文書の所定の描画オブジェクトと描画オブジェクトに対応する機能とを関連付けるための管理情報を作成する。
以下、この画像処理装置１００の構成及び動作について説明する。
図２は、画像処理装置１００の機能構成を示した図である。
図示するように、画像処理装置１００は、印刷指示受付部１１と、文書ＰＤＬ生成部１２と、描画オブジェクト解析部１３と、取得部１４と、符号パターン画像生成部１５と、出力用ＰＤＬ生成部１６とを備えている。
【００２０】
印刷指示受付部１１は、ユーザからの印刷指示を受け付け、画像処理装置１００のメモリ内に読み込んである電子文書を取得し、文書ＰＤＬ生成部１２に受け渡すと共に、描画オブジェクト解析部１３に対し描画オブジェクトの解析を指示する描画オブジェクト解析指示を出力する。尚、この印刷指示受付部１１は、電子文書を取得する文書取得手段として把握することができる。
【００２１】
文書ＰＤＬ生成部１２は、印刷指示受付部１１から渡された電子文書を、画像形成装置４００が画像形成を行うためのコマンド列からなるＰＤＬ（Page Description Language）ファイルである文書ＰＤＬファイルに変換する。
【００２２】
描画オブジェクト解析部１３は、印刷指示受付部１１から描画オブジェクト解析指示があると、同時に渡された電子文書又はその付加情報を解析し、サービス領域を指定する。具体的には、電子文書の中から所定の描画オブジェクトを抽出し、取得部１４から取得した管理情報を参照して、後述する所定の規則に従い、渡された電子文書の中の描画オブジェクトとの一致、不一致を解析する。そして、一致した場合は、描画オブジェクト解析部１３は、その描画オブジェクトをサービス領域として指定する。ここで、管理情報は、例えば、描画オブジェクトに対応する所定のサービスを提供するためのリンク機能に関する参照情報である。あるいは、その描画オブジェクトが存在する領域又は描画オブジェクトが付加された領域の位置情報である。ここでは、かかる領域が通常矩形であることから、その矩形領域の左上点の座標と右下点の座標で表し、これを矩形情報と呼ぶことにする。また、ユーザが描画オブジェクトおよびそれに対応する機能を編集できることが好ましい。ここで、描画オブジェクト解析部１３は、描画オブジェクト解析手段、描画オブジェクト比較手段、および管理情報を編集するための編集手段として把握することができる。
【００２３】
取得部１４は、描画オブジェクト解析部１３からの指示により、図示しない登録部から管理情報を取得する。ここで、取得部１４は、描画オブジェクトと描画オブジェクトに対応する機能とを関連付けるための管理情報を取得する取得手段として把握することができる。登録部は、描画オブジェクト情報を、所定の機能と関連付けた管理情報を登録している。登録部は、どこに設けられていてもよいが、例えば、画像処理装置１００の内部に設けられてもよく、ネットワーク９００に接続された各装置等から共通にアクセス可能なコンピュータに設けてもよい。ここで、登録部は、描画オブジェクトと描画オブジェクトに対応する機能とを関連付けるための管理情報を登録する登録手段として把握することができる。
【００２４】
符号パターン画像生成部１５は、描画オブジェクト解析部１３から出力される管理情報の符号パターン画像を生成し、出力用ＰＤＬ生成部１６に出力する。
出力用ＰＤＬ生成部１６は、文書ＰＤＬ生成部１２から渡された文書ＰＤＬファイル内に、符号パターン画像生成部１５から渡された符号パターン画像及び色指定の情報をＰＤＬコマンドとして設定した出力用ＰＤＬ（電子文書に符号パターン画像を重畳するコマンドを付加したもの）を生成し、画像形成装置４００に出力する。尚、出力用ＰＤＬ生成部１６は、電子文書の画像と管理情報の画像との重畳画像の印刷を印刷機構に指示する指示手段として把握することができる。
【００２５】
尚、これらの機能は、ソフトウェアとハードウェア資源とが協働することにより実現される。即ち、画像処理装置１００の図示しないＣＰＵが、印刷指示受付部１１、文書ＰＤＬ生成部１２、描画オブジェクト解析部１３、取得部１４、符号パターン画像生成部１５、出力用ＰＤＬ生成部１６の各機能を実現するプリンタドライバ等であるプログラムを、例えばハードディスク等の外部記憶装置からメインメモリに読み込んで、画像処理装置１００内にこれらの各機能を実現する。
【００２６】
次に、画像処理装置１００の動作について説明する。
まず、実際にユーザが操作を行い、種々の設定を行う画像処理装置１００の表示画面の説明を行う。なお、以下の説明では、上述した印刷指示受付部１１、文書ＰＤＬ生成部１２、描画オブジェクト解析部１３、取得部１４、符号パターン画像生成部１５、出力用ＰＤＬ生成部１６の各機能は、プリンタドライバが行うものとする。
図３は、電子文書を印刷した媒体の例を示す。
図３に示した電子文書を印刷した媒体は、テキスト３０〜３５で構成されている。このうちテキスト３３，３４はウェブサイトのＵＲＬを含んでおり、また、テキスト３５は電話番号を含んでいる。
電子文書を作成したアプリケーションプログラムは、このアプリケーションプログラムが動作するＯＳ（Operating System）に印刷指示を行う。そして、更にＯＳは、プリンタドライバに電子文書を渡して印刷指示を行う。
【００２７】
ユーザはあらかじめプリンタドライバの設定ダイアログでサービス領域の指定を行うかどうかを設定しておく。
図４は、プリンタドライバの設定ダイアログを表示した表示画面の一例である。
プリンタドライバの設定ダイアログ４０には、複数のタブが設けられており、そのうち符号埋め込みタブ４１をマウスでクリックする等により選択すると、図４の画面が表示される。
そして、符合埋め込みを許可するチェックボックス４２を選択すると、グループボックス４３の内容が指定できるようになる。グループボックス４３には、ＵＲＬチェックボックス４４と、電話番号チェックボックス４５と、出力時確認を行うチェックボックス４６とが設けられている。ＵＲＬチェックボックス４４を選択するとＵＲＬに対する符号埋め込みを許可することができ、電話番号チェックボックス４５を選択すると電話番号に対する符号埋め込みを許可することができる。また、出力時確認を行うチェックボックス４６の選択を解除しておくと、出力時の確認を行わずに自動生成されたサービス領域に対する符号パターン画像が、そのまま印刷される。
【００２８】
図５は、印刷指示受付部１１に送付される電子文書の例を示している。電子文書は各行で示される描画オブジェクトから構成される。このうち、ＳｔａｒｔＰａｇｅ５０は、ページ開始を示す描画オブジェクトであり、Ｔｅｘｔ５１〜５６は、図３のテキスト３０〜３５にそれぞれ対応した描画オブジェクトである。また、ＥｎｄＰａｇｅ５７はページ終了を示す描画オブジェクトである。Ｔｅｘｔ５１〜５６の部分は、上述した矩形情報である。矩形情報を、（左上Ｘ座標、左上Ｙ座標）−（右下Ｘ座標、右下Ｙ座標）の型式により表しており、ダブルコーテーションに囲まれた文字列は、左上座標と右下座標に囲まれた長方形領域に印刷される文字列をあらわしている。なお、本実施の形態では簡単のために文字描画オブジェクトのみの電子文書としているが、イメージ描画オブジェクトやグラフィックス描画オブジェクトが含まれる電子文書であっても動作に問題はない。
【００２９】
描画オブジェクト解析部１３は、電子文書を解析し、サービス領域を決定する。そして、図４のプリンタドライバの設定ダイアログ４０で出力時確認を行うチェックボックス４６をチェックしていた場合、埋め込み符号確認ダイアログを表示する。
図６は、埋め込み符号確認ダイアログを表示した表示画面の一例である。
図６に示した埋め込み符号確認ダイアログ６０は、プレビュー部６１と、プレビューページ数表示部６２と、次ページボタン６３と、符号一覧表示部６４と、印刷ボタン６５とから構成される。
【００３０】
プレビュー部６１には、電子文書を印刷した場合のプレビュー画面が表示される。そして、抽出された描画オブジェクトに対応した部分にサービス領域６６ａ〜６６ｃとして網掛け表示が行われる。符号一覧表示部６４にはサービス領域６６ａ〜６６ｃに対応する描画オブジェクトの一覧が表示される。そして、記号表示部６７ａには網掛け表示の種類が、種別表示部６７ｂにはＵＲＬや電話などのサービス種別が、内容表示部６７ｃには種別がＵＲＬであればＵＲＬ文字列が、種別が電話であれば電話番号が表示される。また各符合データに対して削除ボタン６８が表示される。この画面によりユーザは各ボタンを操作して、設定の確認や、削除・追加・変更などの編集を行うことができる。
【００３１】
ここで、ユーザが符号を埋め込む描画オブジェクトを新たに指定し、サービス領域を追加する場合について説明する。
図７は、ユーザが符号を埋め込む描画オブジェクトを追加する符号追加ダイアログを表示した表示画面の一例である。
この画面は、図６における埋め込み符号確認ダイアログ６０において、プレビュー部６１の追加したい描画オブジェクトの部分をユーザがマウス等により選択することにより表示される。図７に示した埋め込み符号追加ダイアログ７０は、プレビュー部７１と、種別表示部７２と、エディットボックス７３と、追加ボタン７４と、キャンセルボタン７５とから構成される。
【００３２】
プレビュー部７１は、電子文書のプレビュー画面に現在選択されているサービス領域を網掛け表示する。ここで、カーソル７６は、マウス等によってプレビュー部７１内の自由な領域を選択できるが、すでにサービス領域として指定されている部分に重ねることはできない。種別表示部７２では、種別として「ＵＲＬ」もしくは「電話」を選択し、そのサービス領域で実行したいサービスを選択することができる。また、エディットボックス７３には、種別に応じたデータをユーザが入力することができる。なお、追加ボタン７４を押下すると、入力データが登録され、キャンセルボタン７５を押下すると、入力データは破棄される。
【００３３】
ここで、ユーザが、サービス領域を追加した描画オブジェクトを追加したい場合には、ユーザは、プレビュー部７１においてカーソル７６をサービス領域として指定したい部分に合わせる。ここでは、「ｘｘ中学校」の部分をサービス領域として指定している。サービス領域の指定後は、種別表示部７２でラジオボタンにより「ＵＲＬ」を選択し、エディットボックス７３にＵＲＬの具体的な内容として、「ｈｔｔｐ：／／ａａａ．ｂｂｂ．ｃｏ．ｊｐ」と入力する。そして最後に、追加ボタン７４を押下すると、新しい描画オブジェクトがサービス領域として登録される。
【００３４】
次に、印刷指示受付部１１、描画オブジェクト解析部１３、符号パターン画像生成部１５の動作についてフローチャートを用いて説明する。
まず、印刷指示受付部１１の動作について説明する。
図８は、印刷指示受付部１１の動作の流れを示したフローチャートである。
まず、印刷指示受付部１１は、印刷指示があるかどうかを監視する（ステップ１１１）。即ち、印刷指示がなければ、ステップ１１１を繰り返し、印刷指示があれば、印刷属性を取得する（ステップ１１２）。印刷属性には、用紙サイズ、向き、両面印刷等が含まれる。また、印刷指示には、印刷対象の電子文書を特定するための情報も含まれている。
【００３５】
また、用紙サイズや向きの情報に基づいて、媒体内の位置情報を生成し、この位置情報と色指定とを描画オブジェクト解析部１３に伝える（ステップ１１３）。ここで、色指定とは、符号パターン画像をどの色で印刷するかを指定する情報である。画像形成装置４００がイエロー（Ｙ）、マゼンタ（Ｍ）、シアン（Ｃ）、黒（Ｋ）、不可視（Ｉ）の５つの現像器を有していれば、不可視（Ｉ）で符号パターン画像を印刷すべき旨の情報である。一方、画像形成装置４００がイエロー（Ｙ）、マゼンタ（Ｍ）、シアン（Ｃ）、黒（Ｋ）の４つの現像器しか有しておらず、これらのいずれかの色が不可視（Ｉ）に置き換えられていれば、その置き換えられた色の指定である。これにより、符号パターン画像は、不可視（Ｉ）で印刷されることになる。
【００３６】
その後、印刷指示受付部１１は、電子文書をメモリから取り出し（ステップ１１４）、描画オブジェクト解析部１３に電子文書を渡して描画オブジェクトの抽出を指示する（ステップ１１５）。
そして、最後に、文書ＰＤＬ生成部１２に対し電子文書を渡して文書ＰＤＬへの変換を指示する（ステップ１１６）。
【００３７】
次いで、描画オブジェクト解析部１３の動作について説明する。
図９は、描画オブジェクト解析部１３の動作の流れを示したフローチャートである。
まず、描画オブジェクト解析部１３は印刷指示受付部１１（図２参照）から電子文書を受け取る（ステップ１２１）。そして、符号埋め込みを行うか否かの判定を行う（ステップ１２２）。ここで、符合埋め込みを行なわない場合は、電子文書のみを出力用ＰＤＬ生成部１６に送り、符号埋め込みを行う場合は、電子文書から描画オブジェクトを先頭から取得する（ステップ１２３）。次に、描画オブジェクトがＳｔａｒｔＰａｇｅであるか否かの判定を行う（ステップ１２４）。描画オブジェクトが、ＳｔａｒｔＰａｇｅである場合には、図６で説明した埋め込み符号確認ダイアログ６０においてプレビュー部６１および符号一覧表示部６４を初期化して（ステップ１２５）、次の描画オブジェクトを取得する（ステップ１２３）。描画オブジェクトが、ＳｔａｒｔＰａｇｅでない場合は、取得部１４（図２参照）から取得された登録部の管理情報を検索し、一致する描画オブジェクトがあるか否かを判定する（ステップ１２６）。一致する描画オブジェクトがある場合には、図６で説明した埋め込み符号確認ダイアログ６０のプレビュー部６１および符号一覧表示部６４に追加を行う（ステップ１２７）。一致する描画オブジェクトがない場合には、描画オブジェクトがＥｎｄＰａｇｅであるか否かの判定を行う（ステップ１２８）、ＥｎｄＰａｇｅでない場合は次の描画オブジェクトを取得するが、描画オブジェクトがＥｎｄＰａｇｅである場合は、図６で説明した埋め込み符号確認ダイアログ６０を表示したままユーザの入力を待つ（ステップ１２９）。
【００３８】
ここで、ユーザが図６で説明した埋め込み符号確認ダイアログ６０において、描画オブジェクトを追加するため、例えば、”場所：ｘｘ中学校”などのいずれかの描画オブジェクトを選択したかどうか判定を行い（ステップ１３０）、選択している場合は、図７で説明した符号追加ダイアログ７０を表示する（ステップ１３１）。そして、符号追加ダイアログ７０に入力された内容に従って追記を行い（ステップ１３２）、再びユーザの入力を待つ（ステップ１２９）。ユーザが図６で説明した埋め込み符号確認ダイアログ６０において、次ページボタン６３を押下したかどうか判定を行い（ステップ１３３）、押下していて、最終ページでない場合には次ページの処理を行うため次のページの描画オブジェクトを取得する（ステップ１２３）。ユーザが図６で説明した埋め込み符号確認ダイアログ６０において、削除ボタン６８を押下したかどうか判定を行い（ステップ１３４）、押下していれば、該当する描画オブジェクトに対する表示をプレビュー部６１および符号一覧表示部６４から削除し、埋め込み符号確認ダイアログ６０にも反映する（ステップ１３５）。また、ユーザが図６で説明した埋め込み符号確認ダイアログ６０において、印刷ボタン６５を押下したかどうか判定を行い（ステップ１３６）、押下していれば、追加された描画オブジェクトを所定の書式に従い、描画オブジェクト情報テーブルとして登録部へ追加を行う（ステップ１３７）。そして、描画オブジェクトに対応する機能とを関連付けるための管理情報を符号パターン画像生成部１５（図２参照）に送付する（ステップ１３８）。
【００３９】
次に、上述のステップ１２６における管理情報を検索し、一致する描画オブジェクトがあるか否かを判定する動作について更に詳細に説明する。
図１０は、管理情報を検索し、一致する描画オブジェクトがあるか否かを判定する動作の流れを示したフローチャートである。
まず、描画オブジェクトが文字描画オブジェクトであるか否かを判定する（ステップ１４１）。文字描画オブジェクトである場合は、その文字列が一致するかどうか判定し（ステップ１４２）、一致する場合は、該当する描画オブジェクトが存在すると判定する（ステップ１４８）。
次に、描画オブジェクトが文字描画オブジェクトでない場合は、描画オブジェクトがイメージ描画オブジェクトであるか否かを判定する（ステップ１４３）。イメージ描画オブジェクトである場合は、そのイメージのビット列が一致するかどうか判定し（ステップ１４４）、一致する場合は、該当する描画オブジェクトが存在すると判定する（ステップ１４８）。
次に、描画オブジェクトがイメージ描画オブジェクトでない場合、描画オブジェクトがグラフィックス描画オブジェクトであるか否かを判定する（ステップ１４５）。そして、グラフィックス描画オブジェクトである場合は相対座標点が一致するかどうか判定し（ステップ１４６）、一致する場合は、該当する描画オブジェクトが存在すると判定する（ステップ１４８）。
描画オブジェクトがグラフィックス描画オブジェクトでない場合、一致する描画オブジェクトはないと判定する（ステップ１４７）。
【００４０】
なおここでグラフィックス描画オブジェクトとは、たとえば左上座標と右下座標で表される長方形の塗りつぶし描画オブジェクトなどであり、この左上座標と右下座標を（Ａ１，Ｂ１）−（Ａ２，Ｂ２）とする。相対座標とは、描画オブジェクト内のいずれかの場所、ここでは左上を原点とした座標であり、この例では（０，０）―（Ａ２−Ａ１、Ｂ２−Ｂ１）であらわすことができる。また、図形が２点以上の座標で表される線分描画オブジェクトである場合、たとえば座標点を（Ｃ１，Ｄ１）―（Ｃ２，Ｄ２）−（Ｃ３，Ｄ３）とすると、最初の点を原点として、相対座標は（０，０）−（Ｃ２−Ｃ１，Ｄ２−Ｄ１）−（Ｃ３−Ｃ１，Ｄ３−Ｄ１）となる。
【００４１】
また、本実施の形態で行う一致の判定は、描画オブジェクトのもつすべての特徴量に対して実施できる。ここで、特徴量とは、例えば、色や文字サイズ、字体、透過率などである。そして、描画オブジェクトのもつ特徴量が全て一致しなくても、一部について一致すれば一致とみなすこともできる。例えば、描画オブジェクトがイメージ描画オブジェクトの場合に色を変えただけで前回指定したサービス領域が消えてしまうのは不便なことがある。この場合、色以外の特徴量が一致すれば一致とみなしてもよい。また、どの特徴量の一致をみて一致と判断するか、あらかじめユーザが設定することもできる。また、文字描画オブジェクトについては、文字列の一致率が高ければ一致とみなすこともできる。
【００４２】
また、図１１は、登録部に登録される描画オブジェクト情報テーブルの一例を示す図である。
図１１に示した描画オブジェクト情報テーブルには、左側からタイプ、データ、埋め込み位置、種別、内容に関するデータがそれぞれ配置される。ここで、タイプは、描画オブジェクトのタイプであり、描画オブジェクトが文字描画オブジェクトである場合は、「テキスト」、描画オブジェクトがイメージ描画オブジェクトである場合は、「ビットマップ」、描画オブジェクトがグラフィックス描画オブジェクトである場合は、「図形」などの値をとる。データは、電子文書での描画オブジェクトの具体的なデータであり、描画オブジェクトが文字描画オブジェクトである場合はその文字列、描画オブジェクトがイメージ描画オブジェクトである場合はそのイメージのビット列、描画オブジェクトがグラフィックス描画オブジェクトである場合はその図形タイプや座標点の列などの値をとる。埋め込み位置は、描画オブジェクトのタイプによって決まる描画オブジェクトのいずれかの点を原点とした座標系であらわしたサービス領域の長方形範囲である矩形情報を表している。また、種別は、描画オブジェクトに対応したサービス等の機能の種別であり、例えば、サービスがインターネット上の特定のウェブサイトを表示するものであれば、ここでの種別は、「ＵＲＬ」であり、サービスが特定の電話番号に電話をかけるものであれば、ここでの種別は、「電話」となる。また更に、内容は、サービスを提供するための参照情報である。例えば、サービスがインターネット上の特定のウェブサイトを表示するものであれば、内容はそのウェブサイトのＵＲＬであり、サービスが特定の電話番号に電話をかけるものであれば、その電話番号である。
【００４３】
次いで、符号パターン画像生成部１５の動作について説明する。
図１２は、符号パターン画像生成部１５の動作の流れを示したフローチャートである。
まず、符号パターン画像生成部１５は、描画オブジェクト解析部１３から符号パターン画像生成指示があるかどうかを監視する（ステップ１５１）。即ち、符号パターン画像生成指示がなければ、ステップ１５１を繰り返し、符号パターン画像生成指示があれば、描画オブジェクトに対応する機能とを関連付けるための管理情報を符号化する（ステップ１５２）。
具体的には、管理情報を所定の符号化方式により符号化する。この符号化には、例えば、既知の誤り訂正符号であるＲＳ（リードソロモン）符号やＢＣＨ符号を用いることができる。また、誤り検出符号として、位置情報のＣＲＣ（Cyclic Redundancy Check）やチェックサム値を計算し、それを冗長ビットとして付加することもできる。
そして、この符号化された管理情報を、符号パターン情報として埋め込む形式に変換する。例えば、第三者による解読が困難になるように、符号化された管理情報における各ビットの配置を、疑似乱数等により入れ替えたり暗号化したりすることができる。また、識別コードが２次元配置される場合は、ビット値をコードの配置と同様に２次元配置しておく。
【００４４】
次に、符号パターン画像生成部１５は、描画オブジェクトの位置情報を符号化する（ステップ１５３）。
具体的には、電子文書が印刷される媒体のサイズに応じた位置情報を所定の符号化方式により符号化する。この符号化には、識別情報の符号化に使用したのと同様の方式を使用することができる。また、位置情報は、疑似雑音系列の一種であるＭ系列を利用して表すこともできる。ここで、Ｍ系列は、ｋ段の線形シフトレジスタで生成できる最大周期の系列であり、その周期は２ｋ−１である。また、Ｍ系列中の任意の位置から取り出した連続するｋビットの部分系列がＭ系列中に１度しか現われないという性質を持っている。この性質により、連続したｋビットの部分系列ごとに位置情報を対応させておけば、部分系列を検出することで位置情報を特定することができる。
そして、この符号化された位置情報を、符号パターン情報として埋め込む形式に変換する。例えば、第三者による解読が困難になるように、符号化された位置情報における各ビットの配置を、疑似乱数等により入れ替えたり暗号化したりすることができる。
【００４５】
その後、符号パターン画像生成部１５は、ステップ１５２で生成された符号化された管理情報およびステップ１５３で生成された符号化された位置情報を符号パターン画像として画像化する（ステップ１５４）。
【００４６】
ところで、符号パターン画像は、この時点では２値の画像であるが、符号パターン画像生成部１５は、この符号パターン画像に対し色指定を行う（ステップ１５５）。即ち、符号パターン画像生成指示には色指定の情報も含まれているので、これを用いて色指定を行う。
そして、最後に、符号パターン画像生成部１５は、色指定がなされた符号パターン画像を出力用ＰＤＬ生成部１６に出力する（ステップ１５６）。
【００４７】
これにより、出力用ＰＤＬ生成部１６は、文書ＰＤＬ生成部１２から送られた文書ＰＤＬに対し、符号パターン画像生成部１５から送られた符号パターン画像及び色指定の情報を用いて符号パターン画像重畳のためのＰＤＬコマンドを挿入することにより、出力用ＰＤＬを生成する。
そして、この出力用ＰＤＬを画像形成装置４００に送信することで、画像形成装置４００では、不可視トナーで符号パターン画像が印刷されることとなる。
【００４８】
図１３は符号化された管理情報の例である。
図１３に示した例では、データ長４８バイトのデータを符号化して埋め込む例を示している。
まず０バイト目に種別を符号化する。ここで種別が「ＵＲＬ」であれば、ここの符号は、「０」であり、種別が「電話」であれば、符号は「１」となる。図１３に示した例では、種別が「ＵＲＬ」であるとして、「０」が指定されている。また１バイト目〜４７バイト目には、内容が符号化される。図１３に示した例では、ＵＲＬとして、「ｈｔｔｐ：／／ａａａ．ｂｂｂ．ｃｏ．ｊｐ」を指定している。
なお、通常バイト数の多いデータを埋め込むのは困難なため、データ長を短くするため、データを圧縮して符号化するのが好ましい。
【００４９】
なお、本実施の形態が適用されるシステムは、図１で説明したものに限られるものではない。
図１４は、本実施の形態が適用されるシステムの構成の他の例を示した図である。この画像処理システムは、図１で説明したものに対し、電子文書を蓄積する文書リポジトリ２００が追加されている。
【００５０】
以下、本システムの動作の概略を説明する。
まず、画像処理装置１００は、所定のアプリケーションプログラムにより作成した文書リポジトリ２００から印刷対象の電子文書を取得する（Ｅ）。そして、画像形成装置４００に対し、この電子文書の印刷を指示する（Ａ）。この電子文書の印刷指示を受けると、画像形成装置４００は、電子文書の画像に符号パターン画像を重畳した画像を紙等の媒体に印刷し、印刷物５００をプリント出力する（Ｂ）。この場合、符号パターン画像は、識別情報に対応する符号と、位置情報に対応する符号とを画像化したものである。
【００５１】
ここで、識別情報としては、個々の媒体を一意に識別する情報を採用することができる。例えば、画像形成装置４００の識別番号と画像形成装置４００における媒体の印刷の一連番号又は印刷の日時とを組み合わせて得られる情報であってもよいし、所定のサーバにて重複がないように一元管理されている情報であってもよい。或いは、個々の媒体を一意に識別する情報ではなく、媒体に印刷された電子文書を一意に識別する情報を、識別情報として採用してもよい。
【００５２】
その後、ユーザが、ペンデバイス６００を用いて印刷物５００に文字又は図形をマーキングすると（Ｃ）、符号パターン画像から識別情報と位置情報を取得し、有線通信又は無線通信を介して、その情報を端末装置７００に送信する（Ｄ）。
その後、端末装置７００は、ペンデバイス６００から受信した識別情報と位置情報に基づいて、印刷物５００に関する管理情報を文書リポジトリ２００から取得する(Ｆ)。そして、端末装置７００は、文書リポジトリ２００から受信した管理情報に基づいて、所定のサービスを提供する。
【００５３】
本システムにおいては、管理情報は、文書リポジトリ２００が管理している。そして、印刷物５００には、参照情報に対応する符号を画像化し、印刷する必要はなく、媒体の識別情報に対応する符号と、位置情報に対応する符号とを画像化したものを印刷する。そして、ペンデバイス６００から受信した識別情報と位置情報に基づいて、印刷物５００に関する管理情報を文書リポジトリ２００から取得することにより、端末装置７００が、所定のサービスを提供する。ここで、文書リポジトリ２００は、描画オブジェクトと描画オブジェクトに対応する機能とを関連付けるための管理情報を登録する登録手段として把握することができる。
【００５４】
次に、符号パターン画像についての説明を行う。なお以下で説明する符号パターン画像は、管理情報として、識別情報と位置情報を符号パターン画像として埋め込む場合の例である。
図１５（ａ）〜（ｃ）は、上述した符号パターン画像を説明するための図である。図１５（ａ）は、符号パターン画像を形成する符号パターン配列を模式的に示している。また、図１５（ｂ）は、図１５（ａ）における符号パターン配列の基本単位である符号ブロックを拡大して示した図である。更に、図１５（ｃ）は、符号ブロックを構成する単位符号パターンの具体的なパターンについて説明するための図である。
【００５５】
図１５（ｂ）において、符号ブロックは、５ブロック×５ブロックの合計２５ブロックの単位符号パターンで構成されている。各単位符号パターンは、図１５（ｃ）に示される縦３ドット、横３ドットの合計９ドットを配置可能な領域により形成され、ドット配置可能な領域に２ドットを配置するいわゆる９Ｃ２方式における符号パターンである。ここで、黒色の領域と斜線の領域をドット配置可能な領域とし、その間にある白色の領域をドット配置不可能な領域としている。そして、ドット配置可能な領域のうち、黒色の領域にドットが配置され、斜線の領域にはドットが配置されていないことを示している。
より具体的には、配置可能な９ドットのうち２ドットを使用し、各単位符号パターンが１つの情報を表現する。この場合は、３６（＝９Ｃ２）通りの情報を表現することができる。このような方式を用いることで、可視画像に与えるノイズが極めて小さく、且つ、大量の情報を高密度にデジタル化して埋め込むことが可能な符号パターンを提供することが可能となる。
【００５６】
本実施の形態では、これらの単位符号パターンのうち、特定の単位符号パターンを情報パターンとして利用し、残りを同期パターンとして利用する。ここで、情報パターンとは、媒体に埋め込む情報を表現するパターンである。また、同期パターンとは、媒体に印刷された情報パターンを取り出すために用いられるパターンである。例えば、情報パターンの位置を特定したり、画像の回転を検出したりするために用いられる。
図１５（ｂ）に示した例では、図１５（ｂ）において黒色の領域で表した左上の１ブロックの単位符号パターンを使用し、同期パターンとしている。そして、画像の回転の検出のために４種類の単位符号パターンを同期パターンとして用意する必要がある。即ち、正立した同期パターン、右に９０度回転した同期パターン、右に１８０度回転した同期パターン、右に２７０度回転した同期パターンを用意する。
そして残りの２４ブロックを情報パターンとして利用する。そして、同期パターンの右の４ブロックに紙面上のＸ方向の座標を特定するＸ座標情報を表す情報パターンを配置し、同期パターンの下の４ブロックに紙面上のＹ方向の座標を特定するＹ座標情報を表す情報パターンを配置している。更に、これらの座標情報を表す情報パターンで囲まれた１６ブロックに、紙面又は紙面に印刷される文書の識別情報を表す情報パターンを配置している。そして、Ｘ座標情報を表す情報パターン領域とＹ座標情報を表す情報パターンには、それぞれ配置される場所により異なる位置情報が格納されている。一方、識別パターンを表す領域には、配置される場所によらず同じ識別情報が格納されている。
【００５７】
次に、本実施の形態における印刷を指示する画像処理装置１００及び符号パターン画像を読み取るペンデバイス６００の具体的なハードウェア構成について説明する。
まず、ペンデバイス６００について説明する。
図１６は、ペンデバイス６００の機構を示した図である。
図示するように、ペンデバイス６００は、ペン全体の動作を制御する制御回路６０１を備える。また、制御回路６０１は、入力画像から検出した符号パターン画像を処理する画像処理部６０１ａと、そこでの処理結果から管理情報等を抽出するデータ処理部６０１ｂとを含む。
そして、制御回路６０１には、ペンデバイス６００による筆記動作をペンチップ６０９に加わる圧力によって検出する圧力センサ６０２が接続されている。また、媒体上に赤外光を照射する赤外ＬＥＤ６０３と、画像を入力する赤外ＣＭＯＳ６０４も接続されている。更に、管理情報等を記憶するための情報メモリ６０５と、外部装置と通信するための通信回路６０６と、ペンを駆動するためのバッテリ６０７と、ペンの識別情報（ペンＩＤ）を記憶するペンＩＤメモリ６０８も接続されている。
【００５８】
ペンデバイス６００により取得した情報は、端末装置７００（図１参照）に送信される。情報が、ＵＲＬである場合は端末装置７００に内蔵された図示しないモデム部からインターネット上のそのＵＲＬの情報を取得し、端末装置７００の表示部に表示する。取得した情報が電話番号である場合は、その電話番号に端末装置７００に内蔵された図示しない電話部を使って電話をかける。
【００５９】
また、画像処理装置１００にて実現される処理、及び、図１６の画像処理部６０１ａ又はデータ処理部６０１ｂにて実現される処理は、例えば、汎用のコンピュータで実現してもよい。そこで、かかる処理をコンピュータ９０で実現するものとし、コンピュータ９０のハードウェア構成について説明する。
【００６０】
図１７は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーションプログラム等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【００６１】
尚、本実施の形態を実現するプログラムは、通信手段により提供することはもちろん、ＣＤ−ＲＯＭ等の記録媒体に格納して提供することも可能である。
【図面の簡単な説明】
【００６２】
【図１】本実施の形態が適用されるシステムの構成の一例を示したものである。
【図２】画像処理装置の機能構成を示した図である。
【図３】電子文書を印刷した媒体の例を示す。
【図４】プリンタドライバの設定ダイアログを表示した表示画面の一例である。
【図５】印刷指示受付部に送付される電子文書の例を示している。
【図６】埋め込み符号確認ダイアログを表示した表示画面の一例である。
【図７】ユーザが符号を埋め込む描画オブジェクトを追加する符号追加ダイアログを表示した表示画面の一例である。
【図８】印刷指示受付部の動作の流れを示したフローチャートである。
【図９】描画オブジェクト解析部の動作の流れを示したフローチャートである。
【図１０】管理情報を検索し、一致する描画オブジェクトがあるか否かを判定する動作の流れを示したフローチャートである。
【図１１】描画オブジェクト情報テーブルの一例を示す図である。
【図１２】符号パターン画像生成部の動作の流れを示したフローチャートである。
【図１３】符号化された管理情報の例である。
【図１４】本実施の形態が適用されるシステムの構成の他の例を示した図である。
【図１５】符号パターン画像を説明するための図である。
【図１６】ペンデバイスの機構を示した図である。
【図１７】コンピュータのハードウェア構成を示した図である。
【符号の説明】
【００６３】
１１…印刷指示受付部、１２…文書ＰＤＬ生成部、１３…描画オブジェクト解析部、１４…取得部、１５…符号パターン画像生成部、１６…出力用ＰＤＬ生成部、１００…画像処理装置、２００…文書リポジトリ、４００…画像形成装置、５００…印刷物、６００…ペンデバイス、７００…端末装置
【図１】
2009223686.tif 000003
【図２】
2009223686.tif 000004
【図３】
2009223686.tif 000005
【図４】
2009223686.tif 000006
【図５】
2009223686.tif 000007
【図６】
2009223686.tif 000008
【図７】
2009223686.tif 000009
【図８】
2009223686.tif 000010
【図９】
2009223686.tif 000011
【図１０】
2009223686.tif 000012
【図１１】
2009223686.tif 000013
【図１２】
2009223686.tif 000014
【図１３】
2009223686.tif 000015
【図１４】
2009223686.tif 000016
【図１５】
2009223686.tif 000017
【図１６】
2009223686.tif 000018
【図１７】
2009223686.tif 000019